(57)【要約】  【課題】  石炭焚きボイラの炉底灰スラリーの輸送ポンプについて、負荷を一定化することにより運転状態を安定化させるとともに、ポンプに対する要求仕様をゆるめてコストを低減させる。  【解決手段】  石炭焚ボイラに付属するクリンカホッパ１に堆積した炉底灰スラリーを希釈水と混合してスラリー輸送するスラリーポンプ５において、スラリーポンプのサクション側配管１２の下流位置にもうけた圧力発信器１８で測定した圧力が所定の値になるように流量調節弁１７で希釈水の流量を調整することにより、スラリーポンプ５におけるスラリー濃度を一定化することを特徴とする。【選択図】  図１
2005037105.tif 000002
【特許請求の範囲】
【請求項１】
石炭焚ボイラのボイラ炉底灰スラリーを希釈水と混合してスラリー輸送するスラリーポンプにおいて、スラリーポンプのサクション側配管中のスラリーポンプに近い下流位置における圧力が所定の値になるように希釈水の流量を調整することにより、該スラリーポンプにおけるスラリー濃度を一定化することを特徴とするスラリーポンプ輸送制御方法。
【請求項２】
石炭焚ボイラのボイラ炉底灰スラリーを希釈水と混合してスラリー輸送するスラリーポンプを備えた配管において、該スラリーポンプのサクション側配管中に圧力発信器を設け、希釈水供給配管に流量調節弁を設け、前記圧力発信器の測定出力を入力して前記流量調節弁を調整する制御信号を発生する制御器を設けて、該制御器が前記測定出力が所定の目標値に近づくように前記流量調節弁を調整することを特徴とするスラリーポンプ輸送制御装置。
【請求項３】
前記制御器が、前記目標値を一定の変化率で下げていき、最低値に達する前に一旦定値に保持した後に、最終的に最低値まで徐々に下げるようにプログラム設定することによりクリンカホッパ水抜き運転時の制御を行うことを特徴とする請求項２記載のスラリーポンプ輸送制御装置。
【請求項４】
前記制御器が、前記目標値を一定の変化率で上げていき、最高値に達する前に一旦定値に保持した後に、最終的に最高値まで上げるようにプログラム設定することによりクリンカホッパ切り換え時の制御を行うことを特徴とする請求項２記載のスラリーポンプ輸送制御装置。
【発明の詳細な説明】
【技術分野】
【０００１】
本発明は、石炭火力発電所の石炭焚きボイラの炉底から回収されるクリンカあるいはボトムアッシュなどの炉底灰の輸送に使用するスラリーポンプの制御技術に関する。
【背景技術】
【０００２】
従来、石炭焚きボイラ炉底灰は、図６に例示するような設備を用いて処理されてきた。図６に示した処理法によれば、石炭焚きボイラの炉底には、水を張ったクリンカホッパが設けられ、炉中で発生する燃焼灰やクリンカは、炉底灰としてクリンカホッパに落下して貯まる。クリンカホッパの底にはゲートバルブを介してクリンカクラッシャが設けられ、クリンカホッパに炉底灰が所定量貯まるとゲートバルブを開いてクリンカ輸送配管に送り込む。このとき、炉底灰はクリンカクラッシャで湿式粉砕されて細粒化し、水と混合したスラリーとして排出される。
【０００３】
スラリー輸送配管に送り込まれた炉底灰スラリーは、配管中を流れる大量の水に混ざって配管中に備えたジェットパルジョンポンプやスラリーポンプによって脱水槽に水力輸送される。脱水槽は濾過槽でクリンカや灰は槽底から抜き出してたとえば灰捨て場に処分し、溢流した濾過水は灰沈降槽に流入してさらに灰分を沈降分離して、上澄み水を貯水槽に溜める。
貯水槽に溜めた水は、補給水ポンプでクリンカホッパに環流させて再利用する。水の一部はクリンカホッパに設けたレベルスイッチにより制御される制御弁を介してクリンカホッパに供給され、ホッパ内の水面位置を一定に保持するために使われ、また一部はスラリー輸送配管に供給されて炉底灰スラリーの輸送に使われる。
【０００４】
従来はスラリー輸送にジェットパルジョンポンプを使用していたが、大量の高圧水を必要とするため大型設備が必要で動力費なども嵩む上、激しい騒音と振動を引き起こし、特許文献１に開示されるように、ボリュートポンプなどのスラリーポンプが利用されるようになってきた。
スラリーポンプを使った設備で石炭焚きボイラ炉底灰を水力輸送する場合は、クリンカホッパから排出されるスラリーが多いときはスラリー濃度が濃くなって配管の抵抗が大きくなるので、ポンプの性能曲線に従って流量が減少する。逆にスラリー排出量が減少してスラリー濃度が低下すると、抵抗が小さくなるのでポンプ流量は増大する。
したがって、スラリーポンプを使うときは、インバータを用いた回転数制御を実施することにより、クリンカホッパからのスラリー供給状態にしたがってスラリー濃度が変化してもこれに対応して回転数を調整しポンプ流量を一定化することで、管内流速を一定に保って輸送の安定化を図り経済的な運転を行うようにしていた。
【０００５】
このため、クリンカホッパからの排出濃度を想定してこれに対応する一定量の希釈水を供給してスラリー輸送するものとしてスラリーポンプなどの計画・設計を行ってきたが、炭種や燃焼状態が変化すると、発生するクリンカの性状が変化して排出濃度が変わり、希釈水量が不足してスラリーポンプに過負荷状態が生じてトリップさせなければならない場合があった。また、安全のため、クリンカホッパからの排出濃度が最も高い状態に対応して設備を計画すると、ポンプ動力が過大となり必要以上の設備コストが発生することになる。
【０００６】
そこで、クリンカホッパからのスラリー濃度を測定してスラリーポンプにおけるスラリー濃度を調整することが望まれるが、従来の技術ではクリンカホッパからのスラリー濃度を安定的に測定する実用的方法がない。また、スラリー濃度測定計器があっても、スラリー濃度測定の応答性が悪く、濃度測定結果を知ってから希釈水流量をコントロールするまでの遅れ時間が比較的長いので、適切な濃度コントロールができない、などの問題がある。
【０００７】
なお、特許文献２にはスラリー密度を測定する粒体密度差測定器が記載されている。特許文献２に記載されたものは、密度差を超音波の流体通過速度変化でとらえたり、密度差に起因する内部流体発生音の変化でとらえるものである。これら、スラリー濃度測定計器であっても、直接測定結果を用いて希釈水流量をコントロールするためには、スラリー濃度測定の信頼性が十分でない。
このため、従来は希釈水量を一定にしてクリンカホッパから流出した炉底灰スラリーをそのまま混合してスラリー輸送を行うようにしてきた。
【特許文献１】特開平６−８２０２９号公報
【特許文献２】特開昭５８−７８０１２号公報
【発明の開示】
【発明が解決しようとする課題】
【０００８】
本発明が解決しようとする課題は、石炭焚きボイラの炉底灰スラリーの輸送ポンプについて、負荷を一定化することにより運転状態を安定化させるとともに、ポンプに対する要求仕様をゆるめてコストを低減させることである。
【課題を解決するための手段】
【０００９】
上記課題を解決するため、本発明のスラリーポンプ輸送制御方法は、石炭焚ボイラのボイラ炉底灰スラリーを希釈水と混合してスラリー輸送するスラリーポンプにおいて、スラリーポンプのサクション側配管のスラリーポンプ入口に近い下流位置の圧力が所定の値になるように希釈水の流量を調整して、スラリーポンプにおけるスラリー濃度を一定化することを特徴とする。
【００１０】
炉底灰スラリーは、いくつかに区分けされたクリンカホッパの区分ごとにアッシュゲートを有する排出口を備え、アッシュゲートを順次操作することにより内部に堆積した炉底灰が順次スラリー輸送配管に供給され、希釈水と混合してスラリーポンプにより脱水槽に輸送される。
ここで、スラリー輸送量が一定であれば、配管の圧力損失はスラリー濃度の関数になるので、スラリーポンプのサクション側配管中でポンプから適当な距離だけ上流にある位置で圧力を測定すると、その圧力はスラリー濃度の指標値になる。
【００１１】
そこで、本発明のスラリーポンプ輸送制御方法により、希釈水量を加減して下流配管中で測定するサクション圧力が予め求めた所定値になるように調整すると、スラリー濃度が一定値になり、ポンプ負荷の均一化、デリバリー配管の配管抵抗の一定化をもたらし安定な運転を達成することができる。
また、スラリー濃度を一定にする制御を前提とすればポンプ容量が最大限に利用できるので、ポンプ定格も余裕を持つことができコストが低下する。
【００１２】
本発明のスラリーポンプ輸送制御装置は、石炭焚きボイラのボイラ炉底灰スラリーを希釈水と混合してスラリー輸送するスラリーポンプを備えた配管において、スラリーポンプのサクション側配管中に圧力発信器を設け、希釈水供給配管に流量調節弁を設け、圧力発信器の測定出力を入力して流量調節弁を調整する制御信号を発生する制御器を設けたもので、その制御器が測定出力を所定の目標値に近づかせるように流量調節弁を調整することを特徴とする。
また、本発明の制御装置により、スラリーポンプの運転を安定化させることができると共に、この制御装置を備えることにより高価なスラリーポンプの要求仕様をより緩やかなものにして設備費を低下させることができる。
【００１３】
本発明の制御装置は、圧力目標値を一定の変化率で下げていき、最低値に達する前に一旦定値に保持した後に、最終的に最低値まで徐々に下げるようにプログラム設定できるようにすることが好ましい。
また、目標値を一定の変化率で上げていき、最高値に達する前に一旦定値に保持した後に、最終的に最高値まで上げるようにプログラム設定することができるようにすることが好ましい。
【００１４】
クリンカホッパ内部に残ったクリンカの状態を確認するために必要な水抜き運転時には、スラリー濃度を調整しながら炉底灰スラリーを排出した後で、クリンカホッパの水位制御弁を閉止して、圧力制御の目標値をプログラムに従って変化させる。
圧力検出器の位置における圧力は水頭に対応する。そこで、圧力目標値すなわち水位目標値のプログラムを、水位を初めに所定の率で下げていき、クリンカホッパの最低水位よりたとえば１ｍ上の点で一旦保持して安定させてから、さらに徐々に最低水位まで下げて安定させるようにした。これにより、スラリーポンプに空気を巻き込むことを防止し、キャビテーションを防止することができる。
なお、水抜き運転ではクリンカホッパ内の水を排出するが、炉底灰と一緒に水を排出しても、スラリー濃度が低くなりスラリーポンプの負荷が低くなるので、不都合がない。この場合も、圧力のプログラム制御は水位の低下速度を炉底灰排出量に適合するように設定するだけで、ほぼ同じパターンで行えばよい。
【００１５】
また、クリンカホッパの排出口を切り換える時には、排出口のアッシュゲートを閉じてパージ運転した後に、次の排出口のアッシュゲートを開いて移行する。このとき、ポンプのサクション圧力に対するバッファになっていたクリンカホッパが、一旦縁切りされてしまうため、切り換え時にポンプサクション圧は大きく変動する。
特に、水抜き運転時には、水位レベルを最も下げた状態になっていて、水量排出に対して水位変動が大きいため、排出口切り換えを行うと激しく水位変動するところからキャビテーションが問題になる。
【００１６】
そこで、低水位の状態でアッシュゲートを切り換えを行わずに、ポンプ入り口圧力の目標値を徐々に引き上げて、一定圧力まで上昇させて、水位を上げた上で次の排出口に切り換える方式を採用して、水位変動を防止しアッシュゲート切り換え時の急激な給水量増加を防止することができた。
【００１７】
なお、クリンカクラッシャの負荷は通過するクリンカの量に対応するので、クリンカクラッシャの駆動電流値に基づいてスラリー濃度を推定することができる。そこで、クリンカクラッシャの電流を検知して所定の値を維持するように希釈水供給量を調節することにより、スラリーポンプの負荷を均等化して円滑にスラリー輸送することもできる。
【発明を実施するための最良の形態】
【００１８】
以下、実施例を用いて本発明の石炭焚きボイラ炉底灰のスラリーポンプ輸送制御方法および制御装置を詳細に説明する。
図１は本発明に係る石炭焚きボイラの炉底灰処理設備の実施例のフロー図である。
本実施例の石炭焚きボイラの炉底灰処理設備は、クリンカホッパ１と脱水槽２と灰沈降槽３と貯水槽４で構成される。
【００１９】
クリンカホッパ１には、クリンカホッパの内面保護とクリンカの冷却のため、水が張られていて、クリンカホッパ１の上に設備された図外の石炭焚きボイラ燃焼炉で発生したクリンカは、クリンカホッパ１に落下して貯灰される。
クリンカが一定量貯まると、クリンカホッパ１の底に設けられたアッシュゲートを開けて、クリンカクラッシャ１１を通って輸送に適当な大きさに調整されたクリンカと水をスラリー輸送配管１２に流し込み、スラリーポンプ５で脱水槽２に輸送する。
【００２０】
脱水槽２は濾過槽であって、供給されたスラリーをクリンカと水に分離する。分離水はオーバーフローして灰沈降槽３に流れ込み、底に貯まったクリンカは適宜排出して図外の灰処理場に輸送する。
灰沈降槽３では、静置することにより濾過水に混じった灰成分を沈降させて、上澄み水を貯水槽４に送り込む。底に貯まった灰成分は適宜取り出して再び脱水槽２に投入して分離し、最終的に灰処理場に送られる。
【００２１】
貯水槽４の水は、補給水ポンプ６により希釈水あるいは補給水としてクリンカホッパ１とスラリー輸送配管１２に再循環して利用される。クリンカホッパ１にはレベル計１３と補給水の供給量を調節する水位調節弁１４が設備されていて、常時は水位が一定になるように調節されている。
また、スラリー輸送配管１２には水力輸送を可能とするための希釈水が供給されている。希釈水は、クリンカ輸送中は最小限の水量を確保するため開度を固定した給水元弁１５と、制御器１６により開度を調節できる流量調節弁１７の２個の弁を介して供給される。なお、固定弁１５と流量調節弁１７は並列に設置されている。
【００２２】
クリンカホッパ１から排出されたスラリーは、スラリー輸送配管１２に流れ込んで、補給水ポンプ６から送られた希釈水と混合し適当なスラリー濃度になってスラリーポンプ５の吸い込み口に到達し、ポンプで昇圧して脱水槽２まで水力輸送される。
スラリーポンプ５の吸い込み側配管でスラリーポンプ５と少し距離を置いた位置に圧力発信器１８が設けられており、測定出力が制御器１６に送信されている。圧力発信器１８で検出する圧力は、スラリーが輸送配管を流れる間に生じる圧力損失の影響を受け、流量が変わらなければスラリーの密度変化を反映したものになる。
【００２３】
クリンカホッパ１の水位を一定に保ちながらスラリー排出処理する水位保持運転においては、圧力発信器１８の測定圧力とスラリー密度の関係は、クリンカホッパ１の底と輸送配管１２の接続関係、および圧力発信器１８の位置などに従って予め求めることができる。また、スラリー密度を一定に保持するためには、圧力発信器１８の測定圧力を一定に維持するように流量調節弁１７を調整することにより、希釈水量を加減すればよい。スラリー輸送配管１２における希釈水量が増加すると、クリンカホッパ１から流入するスラリーの量が減少してスラリーポンプ５の吸い込み口におけるスラリー濃度が減少する。一方、希釈水量が減少すると、スラリーポンプ５の流量を一定にするためクリンカホッパ１からのスラリー流入量が増大して吸い込み口におけるスラリー濃度が増大する。
【００２４】
このように、スラリーポンプ吸い込み圧力に基づいて希釈水量調節をしてスラリー密度を調整し、所定のスラリー密度になったスラリーをスラリーポンプ５で水力輸送するようにすれば、スラリーポンプ５が過負荷になることもなく、輸送能力不足のためにデリバリー側輸送配管が閉塞することもなく、安定に運転を継続することができる。また、スラリーポンプの容量を最大限に利用してスラリー輸送することができるので、スラリーポンプの定格は最小限のものでよくなるので、設備費も低下する。
なお、クリンカホッパ１の各排出口とスラリーポンプ５の配管接続状態によっては、各排出口についてそれぞれ独立に適当な設置位置を決めて圧力発信器を設けておいて、排出口を切り換える度に圧力発信器も切り換えて使用するようにしてもよい。
【００２５】
さらに、クリンカクラッシャ１１の駆動電流は破砕するクリンカの量に対応するので、電流値が一定になるように流量調節弁１７の開度を加減するようにしてもよい。
スラリー輸送配管１２を流れる希釈水の量が増加すれば、クリンカホッパ１からのクリンカ落下量が減少してクリンカクラッシャ１１の電流が減少し、またスラリーポンプ５の吸い込み口におけるスラリー濃度は低下する。
【００２６】
次に、クリンカホッパ水抜き運転におけるスラリー輸送処理について説明する。クリンカホッパから水力でクリンカを排出した後にホッパの底に排出しきれなかったクリンカが残る場合がある。また、クリンカホッパの壁の状態も定期的に検査する必要がある。このため、１日に１回あるいは１週間に１回など、適当な間隔でクリンカホッパ１から水を抜いて側壁や底の表面の状態を目視で検査し、必要な場合は作業員がマンホールなどから処置をするようにしている。
水抜き作業は水位一定のままスラリー排出をした後に水位のみを変更させるようにすると、制御アルゴリズムが簡単である。さらに、スラリー排出と同時に水位変更を行えば、効率的に作業を行うことができ好ましい。
【００２７】
本実施例の別の態様によれば、このような水抜き作業を自動的に行うことができる。
水抜き作業の自動化は、本実施例において、輸送配管圧力に基づいてスラリー濃度制御を行う制御器１６に、プログラム設定器１９を付属させて、希望する水位変化に対応する輸送配管圧力目標値をプログラム設定するようにしたもので実施することができる。プログラム設定器は従来から使用される機械構造のものであってもよく、また電子計算機を用いた論理演算式のものであってもよい。もちろん、制御器１６に一緒に組み込まれたものであればより便利である。
【００２８】
スラリー排出後にクリンカホッパ１の水位を下げていく水抜き作業は、ほとんど水のみを排出するだけなので、スラリー輸送配管１２に設置した圧力発信器１８の測定値がクリンカホッパ１の水頭を示すことから、比較的単純なプログラムで自動運転ができる。ただし、水位が低くなると断面積が狭まり排出水量の割に水頭の低下が著しくなり、また流量調節弁１７の遅れやその他の動特性が原因となって、設定値に対する水位の行き過ぎが発生することから、適当に余裕がある水位で一旦水位を一定に保持して、その後慎重に必要な水位まで低下させるようなプログラムにして、スラリーポンプ５のキャビテーションを防止することが好ましい。
【００２９】
一方、スラリー排出と水抜きを同時に実施する水抜き運転時では、クリンカ輸送をしながらクリンカホッパの水位を下げていく必要があり、それほど単純ではない。図２はこのために採用されるプログラム設定の例を示すパターン図である。図２に示すように、アッシュゲートを開いてプログラムを開始すると、初めは暫時初めの水位に対応する圧力（ここではたとえば３６ｋＰａ）を保持して制御の安定を確保してから、最低目標レベル（ここでは２ｋＰａ）より僅かにたとえば１ｍ高い水位に向けて徐々に圧力設定値を低下させる。圧力低下の変化率は、炉底灰が満杯になったクリンカホッパ１から初めに炉底灰が流出するときにスラリー濃度が大きくなり過ぎないような値であって、クリンカホッパ１やスラリー輸送配管１２の形態、スラリーポンプ５の性能などに左右され、経験的に得ることができる。ここでは、０．７８ｋＰａ／ｍｉｎの低下速度を採用して良好な結果を得ることができた。
【００３０】
最低水位は、ほぼクリンカホッパ１の底位置であるが、制御特性に基づく行き過ぎによってポンプのキャビテーションが発生しないようにするため、約１ｍ高い水位（ここでは１２ｋＰａ相当）で一旦停滞させるようにする。ここで、適当時間Ｔ待機して輸送配管中の圧力を安定させてから、また徐々に圧力低下させて、最終の目標値にする。
このようなプログラム制御を採用することにより、クリンカ輸送中のスラリー濃度を所定値に管理しながらクリンカホッパ１の水抜きを行い、さらに最低水位を確実に確保してポンプのキャビテーションを防止することができた。
【００３１】
１基のクリンカホッパ１はいくつかに仕切られ、クリンカを排出するときは、それぞれの区分ごとに順次排出する。
クリンカホッパ１の排出口にはアッシュゲートが設けられていて、排出口を切り換えるときには、アッシュゲートを閉止してから次の区分のアッシュゲートを開ける。したがって、クリンカ輸送配管にとってバッファーとなっていたクリンカホッパがアッシュゲートを閉めることにより断絶されるので、排出口を切り換える時にはポンプ入り口圧力が大きく変動する。特に、水抜き運転時には水位レベルがクリンカホッパの底の位置にあるときに排出口切り換えを行うので、水位変動によりポンプがエアを噛んでキャビテーションを発生する懸念がある。
【００３２】
本実施例のスラリーポンプ輸送制御装置は、水抜き運転時における排出口切り換えに伴う問題点を解決するため、プログラム設定器１９を用いて、切り換え時には輸送配管圧力目標値を予め決めたパターンで実行するようにプログラム設定できるようにした。
図３は、水抜き運転の排出口切り換え時に使用するプログラム設定の例を示すパターン図である。図３に示すように、切り換え時にはアッシュゲートを閉める前に、ポンプ入り口圧力の設定値を徐々に上昇させて一定圧力まで達してから、アッシュゲートを閉めて次の排出口のアッシュゲートを開けるようにする。
【００３３】
具体的には、水抜き運転時の最低圧力設定値から１０ｋＰａなど適当な水頭を加算した安全水位まで設定値を徐々に上げて、入り口圧力が確実にこの安全水位になる程度の時間が経過した後で、アッシュゲートを閉めて排出口の切り換えを行い、圧力設定値も新しい排出口に対する値に移行する。
設定値の増加レートは、たとえば５ｋＰａ／ｍｉｎ程度であってよい。また入り口圧力が安全水位に達したか否かを圧力発信器の出力から判定してもよい。
上記のプログラム制御を行うことにおり、アッシュゲート切り換えによる低水位状態での水位変動を抑制してスラリーポンプのキャビテーションを防止し、アッシュゲート切り換え時における一時的な給水流量増加を避けることができるようになった。
【００３４】
図４はスラリーポンプに関連する配管部を示すフローシートである。図４はクリンカホッパ１を１個の区分で代表して表現している。
図４に示すように、クリンカホッパ１のアッシュゲート２１を囲って設けられ排出されたクリンカをクリンカクラッシャ１１に導くアッシュゲートエンクロージャ２２はベント管２３でクリンカホッパ１と繋がっているため、補給水ポンプ６からスラリーポンプ５の間の配管は完全な密閉配管ではない。
このため、この配管部に希釈水として供給される補給水量が多すぎると、ベント管２３を通してクリンカホッパ１に補給水が流入することになり、排出すべき水量が増加してクリンカホッパ１の下流側設備の容量を大きくしなければならない。一方、補給水量が不足すると、スラリーポンプ５の水量が不足してキャビテーションを起こすことになる。
【００３５】
このような現象は特にスラリーポンプの起動時に起こりやすいので、シーケンサ２０を備えて、スラリーポンプの起動に適用するシーケンス制御を行うことにより、クリンカホッパ１への補給水の流入を抑制し、かつスラリーポンプを安定して起動することができるようになった。
なお、シーケンス制御の必要のため、スラリーポンプ５の出口側にシーケンサ２０で開度制御ができるポンプ出口弁２４を設けると共に、給水元弁１５と流量調節弁１７に開閉指示ができる駆動器を設けた。また、スラリーポンプ５の周辺機器もシーケンサ２０からの指令により動作するようにした。
【００３６】
図５は、スラリーポンプの起動シーケンスの例を説明するフロー図である。
図５におけるシーケンスによると、スラリーポンプ５の起動スイッチが押されると（Ｓ１）、まずスラリーポンプ５の軸シール弁を開く指令を発する（Ｓ２）。
その後５秒のタイミングを見て、流量調節弁１７の開度を強制的に５０％にする指令を出し（Ｓ３）、さらに５秒のタイミングを見てポンプ入り口圧力の圧力制御を開始する指令を発し（Ｓ４）、同時にスラリーポンプ５の始動をして（Ｓ５）、ポンプ出口弁２４を開ける指令を発する（Ｓ６）。
【００３７】
そして、ポンプ出口弁２４が実際に開き始めて中間開度になったところでリミットスイッチが働いたことを確認して（Ｓ７）、ポンプ出口弁２４をその中間開度に保持し（Ｓ８）、１０秒など所定のタイミングをおいて給水元弁１５を開ける指令を発し（Ｓ９）、また同様のタイミングおいてポンプ出口弁２４を全開させる指令を発する（Ｓ１０）。
さらに、給水元弁１５が全開になったことをリミットスイッチで確認し（Ｓ１１）、ポンプ出口弁２４が全開になったことを確認して（Ｓ１２）、スラリーポンプの起動動作を終了する（Ｓ１３）。
【００３８】
このようにして、スラリーポンプ５が始動する前に流量調節弁１７を５０％など適当な開度にして適当量の希釈水を輸送配管１２に導入してから、ポンプ入り口圧力の制御をして、その後、スラリーポンプ５の起動とポンプ出口弁２４の開操作をほぼ同じタイミングで実施する。さらに、ポンプ出口弁２４を半開状態にして一旦保持することで、スラリーポンプ５への給水を安定化させ、その後に給水元弁１５とスラリーポンプの出口弁２４を全開して通常の運転状態にする。
したがって、補給水が過剰になってクリンカホッパ１の水位を上昇させることもなく、スラリーポンプ５に給水が不足してキャビテーションを起こすこともなく、スラリーポンプ５を円滑に起動させることができる。
【産業上の利用可能性】
【００３９】
本発明のスラリーポンプ輸送制御方法および制御装置を適用することにより、火力発電所などの石炭焚きボイラ炉底灰のスラリーポンプはより小さな容量で十分機能を果たすので、炉底灰処理設備における設備費と運転費用が節減できる。
【図面の簡単な説明】
【００４０】
【図１】本発明に係る石炭焚きボイラの炉底灰処理設備の実施例を示すフロー図である。
【図２】本実施例における水抜き運転時のプログラム設定の例を示すパターン図である。
【図３】本実施例における排出口切り換え時のプログラム設定の例を示すパターン図である。
【図４】本実施例におけるスラリーポンプに関連する配管部を示すフロー図である。
【図５】本実施例におけるスラリーポンプの起動シーケンスの例を説明するフロー図である。
【図６】従来の石炭焚きボイラの炉底灰処理設備の例を示すフロー図である。
【符号の説明】
【００４１】
１  クリンカホッパ
２  脱水槽
３  灰沈降槽
４  貯水槽
５  スラリーポンプ
６  補給水ポンプ
１１  クリンカクラッシャ
１２  スラリー輸送配管
１３  レベル計
１４  水位調節弁
１５  給水元弁
１６  制御器
１７  流量調節弁
１８  圧力発信器
１９  プログラム設定器
２０  シーケンサ
２１  アッシュゲート
２２  アッシュゲートエンクロージャ
２３  ベント管
２４  ポンプ出口弁
【図１】
2005037105.tif 000003
【図２】
2005037105.tif 000004
【図３】
2005037105.tif 000005
【図４】
2005037105.tif 000006
【図５】
2005037105.tif 000007
【図６】
2005037105.tif 000008